(57)【要約】【課題】フードの光源に対する位置決めをコストアップを招くことなく簡単且つ高精度に行うことができる車両用灯具のフード位置決め構造を提供すること。【解決手段】ハウジングとその開口部を覆うレンズによって画成される灯室内に光源と該光源の一部を覆うフード８を収容して成る車両用灯具の前記フード８の位置決め構造として、前記フード８をフード本体８Ａとこれに溶接されるステイ８Ｂとで構成し、前記ステイ８Ｂの一部を前記フード本体８Ａの下面に当接させて両者を凹凸嵌合させることによって前記ステイ８Ｂと前記フード本体８Ａとの上下方向の位置決めを行う。【選択図】図３
2011171169.tif 000002
【特許請求の範囲】
【請求項１】
ハウジングとその開口部を覆うレンズによって画成される灯室内に光源と該光源の一部を覆うフードを収容して成る車両用灯具の前記フードの位置決め構造として、前記フードをフード本体とこれに溶接されるステイとで構成し、前記ステイの一部を前記フード本体の下面に当接させて両者を凹凸嵌合させることによって前記ステイと前記フード本体との上下方向の位置決めを行うことを特徴とする車両用灯具のフード位置決め構造。
【請求項２】
前記ステイに、前記フード本体の下面に当接する位置決め用舌片を形成し、該位置決め用舌片と前記フード本体の一方に形成された嵌合突起を他方に形成された嵌合孔に嵌合させることを特徴とする請求項１記載の車両用灯具のフード位置決め構造。
【請求項３】
前記フード本体の後端縁に位置決め用の切欠きを形成し、該切欠きに前記ステイを嵌め込んで該ステイと前記フード本体との前後及び左右方向の位置決めを行うことを特徴とする請求項１又は２記載の車両用灯具のフード位置決め構造。
【発明の詳細な説明】
【技術分野】
【０００１】
本発明は、車両用灯具の光源の一部を覆うフードの位置決め構造に関するものである。
【背景技術】
【０００２】
ヘッドランプ等の車両用灯具には、光源から照射方向に直接向かう直射光や光源からリフレクタの反射面以外の部分に達してグレア光となる光を遮蔽するために光源の一部をフードで覆ったものがある（例えば、特許文献１，２参照）。
【０００３】
斯かる車両用灯具に設けられるフードを一体に構成することができない場合、フード本体とこれを支持するステイを互いに別体に構成し、両者をスポット溶接することが行われている。この場合、フード本体とステイとの位置決めが正確に行われない場合、フードの光源に対する位置がずれるために所望の配光パターンを得ることができない。
【０００４】
そこで、従来はフード本体とステイとを突き当てて両者の前後及び左右の位置決めを行った後、上下位置決め用の治具を用いてフード本体とステイとの上下方向の位置決めを行い、両者をスポット溶接することによって結合一体化することが行われていた。
【先行技術文献】
【特許文献】
【０００５】
【特許文献１】特開平１１−２６０１１４号公報
【特許文献２】特開２００８−１５９４２９号公報
【発明の概要】
【発明が解決しようとする課題】
【０００６】
しかしながら、従来は上下位置決め用の治具を用いてフード本体とステイとの上下方向の位置決めを行っていたため、専用の治具が必要である他、この治具を用いた上下方向の位置決めに多くの工数を要するためにコストアップを免れないという問題があった。
【０００７】
本発明は上記問題に鑑みてなされたもので、その目的とする処は、フードの光源に対する位置決めをコストアップを招くことなく簡単且つ高精度に行うことができる車両用灯具のフード位置決め構造を提供することにある。
【課題を解決するための手段】
【０００８】
上記目的を達成するため、請求項１記載の発明は、ハウジングとその開口部を覆うレンズによって画成される灯室内に光源と該光源の一部を覆うフードを収容して成る車両用灯具の前記フードの位置決め構造として、前記フードをフード本体とこれに溶接されるステイとで構成し、前記ステイの一部を前記フード本体の下面に当接させて両者を凹凸嵌合させることによって前記ステイと前記フード本体との上下方向の位置決めを行うことを特徴とする。
【０００９】
請求項２記載の発明は、請求項１記載の発明において、前記ステイに、前記フード本体の下面に当接する位置決め用舌片を形成し、該位置決め用舌片と前記フード本体の一方に形成された嵌合突起を他方に形成された嵌合孔に嵌合させることを特徴とする。
【００１０】
請求項３記載の発明は、請求項１又は２記載の発明において、前記フード本体の後端縁に位置決め用の切欠きを形成し、該切欠きに前記ステイを嵌め込んで該ステイと前記フード本体との前後及び左右方向の位置決めを行うことを特徴とする。
【発明の効果】
【００１１】
本発明によれば、ステイの一部をフード本体の下面に当接させて両者を凹凸嵌合させることによってステイとフード本体との上下方向の位置決めを行うようにしたため、専用の治具を用いることなくフードの光源に対する位置決めを簡単且つ高精度に行うことができ、部品点数や組付工数の増加とこれに伴うコストアップを防ぐことができる。尚、ステイとフード本体との前後及び左右方向の位置決めはフード本体の後端縁に形成された位置決め用の切欠きにステイを嵌め込むことによってなされる。
【図面の簡単な説明】
【００１２】
【図１】本発明に係るフード位置決め構造を備える車両用灯具の側断面図である。
【図２】本発明に係るフード位置決め構造を備える車両用灯具の分解斜視図である。
【図３】本発明に係るフード位置決め構造を示すフードの斜視図である。
【図４】図３のＡ部拡大詳細図である。
【発明を実施するための形態】
【００１３】
以下に本発明の実施の形態を添付図面に基づいて説明する。
【００１４】
図１は本発明に係るフード位置決め構造を備える車両用灯具の側断面図、図２は車両用灯具のフードの分解斜視図、図３は本発明に係るフード位置決め構造を示すフードの斜視図、図４は図３のＡ部拡大詳細図である。
【００１５】
図１に示す車両用灯具１は、不図示の車両の前部左右に設けられるヘッドランプであり、ハウジング２とその前面開口部を覆う透明なレンズ３によって画成される灯室４内にハロゲン電球等の複数の光源５，６と、これらの光源５，６からの光を反射するリフレクタ７等を収容して構成されており、上方の光源５の一部はフード８によって覆われている。尚、車両の前部左右に設けられるヘッドランプの基本構成は同じであるため、以下、一方の車両用灯具１についてのみ図示及び説明する。
【００１６】
前記光源５，６は前記リフレクタ７に着脱可能に取り付けられており、上方の光源５の一部を覆う前記フード８もネジ９によってリフレクタ７に取り付けられている。ここで、フード８は車両のヘッドランプとしての配光パターンを形成するときに不要な光を遮蔽するものであって、本実施の形態では、図２及び図３に示すように、光源５の前端部を部分的に覆うフード本体８Ａとこれを支持するステイ８Ｂを互いに別体に構成し、両者をスポット溶接することによって構成されている。
【００１７】
図２に示すように、フード本体８Ａは、光源５の前端部の周囲を覆う椀状部８ａと、該椀状部８ａから後方に向かって略水平に延びる円弧曲面状の支持部８ｂとで構成されており、支持部８ｂの後端底部は平坦面８ｃとして構成されている。そして、この平坦面８ｃの後端縁の幅方向２箇所には位置決め用の矩形の切欠き１０が形成されており、平坦面８ｃの幅方向中央には円孔状の嵌合孔１１が形成されている。
【００１８】
他方、ステイ８Ｂは、左右一対の縦壁８ｄを垂直な後端壁８ｅで連結することによって枠状に構成されており、左右の縦壁８ｄの前端にはフード本体８Ａの支持部８ｂの円弧曲面状の内面に沿う曲面状の溶接片８ｆが内側に折り曲げられて互いに対向するよう設けられている。更に、ステイ８Ｂの左右の縦壁８ｄの前後方向中間下部には垂直な位置決め段部８ｇがそれぞれ形成されている。そして、ステイ８Ｂの後端壁８ｅには横方向に長い長孔１２と幅方向中心に位置する円孔１３が形成されている。
【００１９】
更に、ステイ８Ｂの一方（図２及び図３の右側）の縦壁８ｄの前後方向中間部には内側に直角に折り曲げられた略矩形板状の位置決め用舌片８ｈが形成されており、この位置決め用舌片８ｈにはバーリング加工等によって円筒状の嵌合突起１４が垂直に立設されている。
【００２０】
而して、フード本体８Ａとステイ８Ｂとがスポット溶接によって連結一体化されることによってフード８が構成されるが、両者はスポット溶接による連結に際して前後、左右及び上下方向の位置決めが以下のようになされる。
【００２１】
即ち、図２に示すように各々独立に製作されたフード本体８Ａに対してステイ８Ｂを図２の矢印方向に組み込み、該ステイ８Ｂの左右の縦壁８ｄをフード本体８Ａの支持部８ｂの後端縁に形成された左右の切欠き１０にそれぞれ嵌め込み、左右の縦壁８ｄにそれぞれ形成された位置決め段部８ｇを図３及び図４に示すように切欠き１０に突き当てることによってステイ８Ｂとフード本体８Ａとの前後及び左右の位置決めが同時になされる。
【００２２】
又、ステイ８Ｂをフード本体８Ａに対して組み込む際、該ステイ８Ｂの前端部に形成された左右の溶接片８ｆはフード本体８Ａの支持部８ｂの上に載置されて両者が密着し、ステイ８Ｂに形成された位置決め用舌片８ｄはフード本体８Ａの支持部８ｂの下面側に位置し、これに突設された嵌合突起１４をフード本体８Ａの支持部８ｂに形成された嵌合孔１１に下方から嵌合させるとともに、平板状の位置決め用舌片８ｈをフード本体８Ａの支持部８ｂに形成された平坦面８ｃに押し当てることによって該ステイ８Ｂとフード本体８Ａの上下方向の位置決めがなされる。
【００２３】
以上のようにしてステイ８Ｂとフード本体８Ａとの前後、左右及び上下方向の位置決めがなされると、ステイ８Ｂの溶接片８ｆを図示の点Ｐにてスポット溶接すれば、ステイ８Ｂとフード本体８Ａとが連結一体化されてフード８が組み立てられる。
【００２４】
このようにして組み立てられたフード８は、ステイ８Ｂの後端壁８ｅに形成された長孔１２にリフレクタ７の取付面に突設された位置決めピン１５（図１参照）を嵌め込んで該ステイ８Ｂをリフレクタ７に対して位置決めした状態で、ステイ８Ｂの後端壁８ｅに形成された円孔１３に挿通するネジ９をリフレクタ７の取付面にねじ込むことによって、図１に示すようにフード８がリフレクタ７に取り付けられる。この場合、フード８を構成するフード本体８Ａとステイ８Ｂとの前後、左右及び上下方向の位置決めが正確になされているため、該フード８の光源５に対する位置決めも正確になされることなり、車両のヘッドランプとして当該車両用灯具１に要求される配光パターンを形成する上で不要な光がフード８によって確実に遮蔽される。
【００２５】
以上のように、本発明によれば、ステイ８Ｂに形成された位置決め用舌片８ｈをフード本体８Ａの支持部８ｂの下面に当接させてステイ８Ｂ側に形成された嵌合突起１４をフード本体８Ａ側に形成された嵌合孔１１に嵌合させることによってステイ８Ｂとフード本体８Ａとの上下方向の位置決めを行うようにしたため、専用の治具を用いることなくフード８の光源５に対する位置決めを簡単且つ高精度に行うことができ、部品点数や組付工数の増加とこれに伴うコストアップを防ぐことができる。
【００２６】
尚、以上の実施の形態では、ステイ８Ｂ側に嵌合突起１４を形成し、フード本体８Ａ側に嵌合孔１１を形成したが、逆にフード本体８Ａ側に嵌合突起１４を形成し、ステイ８Ｂ側に嵌合孔１１を形成して両者が嵌合させるようにしても前記と同様の効果が得られる。
【符号の説明】
【００２７】
１      車両用灯具
２      ハウジング
３      レンズ
４      灯室
５，６  光源
７      リフレクタ
８      フード
８Ａ    フード本体
８Ｂ    ステイ
８ａ    フード本体の椀状部
８ｂ    フード本体の支持部
８ｃ    フード本体の平坦面
８ｄ    ステイの縦壁
８ｅ    ステイの後端壁
８ｆ    ステイの溶接片
８ｇ    ステイの位置決め段部
８ｈ    ステイの位置決め用舌片
９      ネジ
１０    切欠き
１１    嵌合孔
１２    長孔
１３    円孔
１４    嵌合突起
１５    リフレクタの位置決めピン
Ｐ      溶接点
【図１】
2011171169.tif 000003
【図２】
2011171169.tif 000004
【図３】
2011171169.tif 000005
【図４】
2011171169.tif 000006